(57)【要約】【課題】  凹版印刷により、印刷物の観察角度を変化させることで潜像画像が出現する潜像凹版に関し、一般的な着色インキのみを用いて印刷画線からの光沢差によって潜像画像が出現する潜像凹版印刷物を提供する。【解決手段】  基材上の少なくとも一部に潜像画像領域を有し、潜像画像領域は、第１の色を有する色材によって、第１の画像が形成され、第１の画像上に凹版印刷によって規則的に一定ピッチ及び画線幅によって形成された第２の画像を有し、第２の画像は、第１の方向に沿って複数の画線が形成された潜像部と第１の方向と直交する第２の方向に沿って複数の画線が形成された背景部を有し、印刷物を真上から観察した場合、潜像画像は観察されないが、印刷物を傾けて観察した場合に潜像部、背景部及び非画線部からの光沢差によって、潜像画像が観察される潜像凹版印刷物である。【選択図】図５
2016137658.tif 000002
【特許請求の範囲】
【請求項１】
基材の少なくとも一部に、第１の印刷領域と第二の印刷領域を有し、前記第１の印刷領域の少なくとも一部に重畳するように前記第２の印刷領域が形成されたことで、潜像画像が形成された偽造防止印刷物であって、
前記第１の印刷領域は、前記基材と異なる光沢度を有する無色又は有色インキによって面積率が５０〜１００％の第１の印刷画像が形成され、
前記第２の印刷領域は、第１の方向に沿って規則的に一定ピッチ及び一定の画線幅で盛り上がりを有する第１の画線が複数形成された潜像部と、前記第１の方向と異なる第２の方向に沿って規則的に前記第１の画線と同一のピッチ、同一の画線幅及び同一の盛り上がり高さを有する第２の画線が複数形成された背景部を有する第２の印刷画像が形成されたことを特徴とする偽造防止印刷物。
【請求項２】
前記第１の印刷画像は、前記第２の印刷画像より面積が大きい又は同一であり、前記第２の印刷画像は、前記第１の印刷画像が形成された領域上にのみ形成されたことを特徴とする請求項１記載の偽造防止印刷物。
【発明の詳細な説明】
【技術分野】
【０００１】
本発明は、銀行券、旅券、有価証券、商品券及び各種証明書等に、偽造及び複製の防止用として、印刷物を傾けて観察した場合に潜像画像が観察される潜像凹版を有する偽造防止印刷物に関し、従来の潜像凹版と比較して、潜像画像を観察する際に印刷物を傾ける角度が浅くても、基材と印刷画線の光沢差によって潜像画像が観察される偽造防止印刷物に関するものである。
【背景技術】
【０００２】
銀行券、旅券、有価証券、商品券及び各種証明書等の貴重印刷物は、偽造又は改ざんされないことが求められ、これらを防止することを目的に偽造防止技術が採用されている。例えば、用紙の製造工程で付与するすかし又はスレッド、印刷工程で付与する微小文字又はパール印刷、更には印刷工程後の別工程で付与するホログラム又はレーザ穿孔等が代表的である。
【０００３】
これらの技術のうち、比較的コストが安価で、かつ、偽造抵抗力の高い偽造防止技術の一つとして、潜像凹版が挙げられる（例えば、特許文献１参照。）。その理由としては、偽造者の多くは、プリンタ等の簡易的な出力機によって偽造品を作製することが多いため、インキ膜厚の低い二次元的な構成の偽造品しか作製することができないからである。
【０００４】
潜像凹版は、盛り上がりのある画線を縦横方向に規則的に配置することで潜像模様を形成しているため、三次元的な構成となり、特定の方向から観察することで、盛り上がりを有する画線の圧縮及び非圧縮により縦方向の画線と横方向の画線に濃度差が生じて潜像画像を視認することができるものである。それに対し、プリンタを用いた偽造品では、盛り上がりを有する画線を形成することができないため、真正品をコピーしただけでは、縦方向及び横方向の画線に濃度差が生じないことから、印刷物の偽造を困難とすることができるものである。
【０００５】
ここで、公知の潜像凹版３´の印刷物１´の構成について、図面を用いて説明する。図１は、凹版印刷で形成された潜像凹版３´の印刷物１´の構成を示したものであり、紙等の基材に潜像凹版３´を形成している。印刷物１´は、図１（ａ）に示すように、潜像部６´と背景部７´から成り、潜像部６´の複数の横画線６Ｌ及び背景部７´の複数の縦画線７Ｌは、規則的に配置され、かつ、盛り上がりのある画線で形成される。また、潜像部６´の横画線６Ｌの画線幅６Ｗと、背景部７´の縦画線７Ｌの画線幅７Ｗは、同一の画線幅で形成されている。また、横画線６Ｌの画線ピッチ６Ｐと縦画線７Ｌの画線ピッチ７Ｐも同一で形成される。なお、図１（ｂ）は、図１（ａ）の矩形部を拡大したものである。
【０００６】
次に、図２及び図３を用いて、印刷物１´の潜像画像について説明する。図２は、印刷物１´に対する観察方向を示しており、観察方向Ｕは、潜像凹版３´を真上から視認した状態であり、観察方向Ｎは、潜像凹版３´に対して斜め方向から視認したものである。このとき、観察方向Ｕでは、潜像部６´と背景部７´の単位面積あたりの面積率が同一のため、潜像画像「Ｔ」を視認することができない。
【０００７】
次に、観察方向Ｎから視認した場合を説明する。まず、方向Ｓ２から潜像凹版３´を視認した場合、図３（ａ）に示すように、潜像部６´の横画線６Ｌは、観察方向と垂直となり、盛り上がった横画線６Ｌが非画線部の一部又は全部を隠ぺいすることで、見かけ上の視認濃度が高くなる。一方、背景部７´の縦画線７Ｌは、観察方向と平行となるため、非画線部の濃度の変化は生じない。その結果、各領域で濃度差を生じ、潜像部６´から成る潜像画像「Ｔ」を視認することができる。
【０００８】
一方、方向Ｓ３から潜像凹版３´を視認した場合、第１の観察方向とは画線構成が逆となるため、図３（ｂ）のようになり、図３（ａ）とは逆のネガポジ反転した潜像画像が観察される。
【０００９】
また、本出願人は、前述した潜像凹版とは異なる構成の印刷物として、観察角度を異ならせることで潜像画像が出現する技術について出願している（例えば、特許文献２参照。）。
【００１０】
特許文献２の印刷物は、平面配向性を有するパール顔料を備えた凸状の画線を規則的に配列した潜像部と背景部を形成することで、観察角度を拡散反射光が支配的な観察角度で観察した場合と正反射光が支配的な観察角度で観察した場合において、画線からの反射光量の差によって画像がチェンジして視認される印刷物である。
【先行技術文献】
【特許文献】
【００１１】
【特許文献１】特公昭５６−１９２７３号公報
【特許文献２】特許第３７１８７１２号公報
【発明の開示】
【発明が解決しようとする課題】
【００１２】
しかしながら、特許文献１の潜像凹版３´は、観察方向Ｎから視認した場合、潜像部６´と背景部７´との互いの濃度差により潜像画像「Ｔ」を視認することができるが、潜像画像「Ｔ」を形成する凹版画線の画線高さが少ない場合、印刷物１´を傾ける角度が極めて大きくなり、潜像画像「Ｔ」を瞬時に観察することができないという課題が残されていた。
【００１３】
また、特許文献２の印刷物は、画線からの光沢差によって潜像画像が出現することから、潜像画像の確認は比較的容易であるが、平面配向性を有するパール顔料等の特殊な材料を用いることが必須であることから、生産コストが嵩むという課題が残されていた。
【００１４】
本発明は、前述した課題を解決するために創出された発明であり、特殊な材料を用いることなく、一般的な凹版インキによって従来技術の潜像凹版を形成することで、画線部と非画線部に光沢差が発生し、印刷物を傾ける角度が浅い状態であっても潜像画像を観察することができる偽造防止印刷物に関するものである。
【課題を解決するための手段】
【００１５】
本発明の偽造防止印刷物は、基材の少なくとも一部に、第１の印刷領域と第２の印刷領域を有し、第１の印刷領域の少なくとも一部に重畳するように第２の印刷領域が形成されたことで、潜像画像が形成された偽造防止印刷物であって、第１の印刷領域は、基材と異なる光沢度を有する無色又は有色インキによって面積率が５０〜１００％の第１の印刷画像が形成され、第２の印刷領域は、第１の方向に沿って規則的に一定ピッチ及び一定の画線幅で盛り上がりを有する第１の画線が複数形成された潜像部と、第１の方向と異なる第２の方向に沿って規則的に前記第１の画線と同一のピッチ、同一の画線幅及び同一の盛り上がり高さを有する第２の画線が複数形成された背景部を有する第２の印刷画像が形成されたことを特徴とする偽造防止印刷物である。
【００１６】
また、本発明の偽造防止印刷物における第１の印刷画像は、第２の印刷画像より面積が大きい又は同一であり、第２の印刷画像は、第１の印刷画像が形成された領域上にのみ形成されたことを特徴とする偽造防止印刷物である。
【発明の効果】
【００１７】
本発明の偽造防止印刷物は、潜像凹版画線を形成する下層に基材と異なる光沢度を有し、かつ、面積率の高い第１の印刷画像を施すことで、従来の潜像凹版を第１の画像上に形成するだけで、潜像凹版画線における非画線部と、潜像凹版を形成する画線及び基材表面との関係において光沢差が発生することから、印刷物を傾ける角度が浅い状態であっても、瞬時に潜像画像を観察することができることから、より高精度な真偽判別を行うことができる。
【図面の簡単な説明】
【００１８】
【図１】従来の潜像凹版の画線構成の一例を示す図
【図２】印刷物の観察方向を示す図
【図３】従来の印刷物を所定の観察方向から視認した図
【図４】第１の実施の形態における印刷物の一例を示す図
【図５】第１の実施の形態における潜像凹版部分の拡大図を示す図
【図６】印刷物の観察方向を示す図
【図７】第１の画像の形態の一例を示す図
【図８】第２の実施の形態における印刷物を示す図
【図９】第２の実施の形態における潜像凹版部分の拡大図を示す図
【図１０】第２の実施の形態における印刷物を所定の観察方向から視認した図
【図１１】第２の実施の形態の変形例を示す図
【図１２】第３の実施の形態における潜像凹版部分の拡大図示す図
【発明を実施するための形態】
【００１９】
本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。
【００２０】
本発明の偽造防止印刷物は、所定の印刷濃度を有する第１の画像が形成されており、第１の画像上の少なくとも一部に潜像凹版を形成する潜像部と背景部を重ねて形成したものである。第１の画像上に形成された潜像凹版は、潜像部及び背景部の非画線部から視認される第１の画像からの光沢度が基材表面、潜像部及び背景部を形成する画線表面の光沢度と異なることで、従来技術の潜像凹版において潜像画像が確認されない程度の印刷物を傾ける角度であっても、光沢差によって潜像画像を視認することができるものである。
【００２１】
第１の画像は、第１の画像上に凹版印刷画線を施すことができればどのような画像を形成しても良く、オフセット印刷、フレキソ印刷、グラビア印刷、凸版印刷、スクリーン印刷及びインクジェット印刷等、公知の印刷方法を用いることが可能であり、特に限定されない。
【００２２】
第１の画像を形成する色材は、一般的な着色インキを用いれば良く、高光沢の金属材料やパール顔料等を含む特殊なインキを用いる必要はない。また、第１の画像を形成するインキの色は、潜像凹版を形成するインキと色相が同じであっても異なっていても良く、基材表面及び潜像凹版画線と異なる光沢度を有する状態として形成されていれば特に限定されない。
【００２３】
また、第１の画像は、第１の画像上に形成された潜像部及び背景部を形成する画線表面の光沢度及び基材の光沢度と異なる状態として観察される必要があるため、面積率を５０〜１００％とする必要がある。面積率を５０％未満とした場合、基材表面と潜像部及び背景部の非画線部から観察される第１の画像表面から観察される光沢差が少なくなり、浅い角度に傾けた状態における潜像画像の視認性が低下するからである。なお、本発明における面積率とは、基材上の一定面積中に形成される画素又は画線面積の割合のことである。
【００２４】
さらに好ましくは、面積率を７０〜９５％に設定すれば良い。面積率を７０％以上とすることで、潜像部及び背景部の非画線部から視認される第１の画像の面積を大きくすることができるからである。一方、９５％以下とすることで、第１の画像上に形成された潜像部及び背景部を形成する凹版印刷画線の密着性を向上させることができる。
【００２５】
潜像凹版を形成する潜像部及び背景部は、公知の潜像凹版と同等の構成であり、第１の方向に沿って規則的に一定ピッチ、画線幅及び画線高さの複数の画線によって形成された潜像部と、第１の方向と異なる第２の方向に沿って潜像部と同一のピッチ、画線幅及び画線高さの複数の画線によって形成された背景部によって構成され、潜像凹版を第１の方向Ｕから観察した場合には、潜像部及び背景部ともに同一濃度として観察されるが、印刷物を第２の観察角度Ｎで観察した場合に、潜像部と背景部の非画線部は異なる濃度として視認されることから、潜像画像が観察されるものである。
【００２６】
潜像凹版を形成するインキは、有色の盛り上がりを有する画線を形成すれば良く、高光沢の金属材料やパール顔料等を含む特殊なインキを用いる必要はない。また、潜像凹版を形成するインキの色相は、第１の画像と色相が同じであっても異なっていても良いが、好ましくは黒、褐色、暗緑色、暗青色等の高濃度な画線とすることであり、潜像凹版の下部に形成された第１の画像を真上から観察した際に視認される画像への影響を抑制することができる。
【００２７】
（第１の実施の形態）
本発明の第１の実施の形態における偽造防止印刷物（以下「印刷物」という。）について、図４を用いて説明する。第１の実施の形態の印刷物１は、基材上に料額２、潜像凹版３及び肖像４が形成された紙幣タイプの印刷物１であり、潜像凹版３部分は、凹版印刷によって、盛り上がりを有する画線が規則的に所定の画線幅、画線ピッチ及び画線高さによって形成されている。また、第１の実施の形態における印刷物１は、オフセット印刷によって、盛り上がりの少ない地紋印刷画線（図示しない。）が形成されており、潜像凹版３部分の下層には、第１の画像が形成されている。
【００２８】
図５は、第１の実施の形態における印刷物１の潜像凹版３部分の構成を示すものであり、図５（ａ）は、ベタ画線（面積率１００％）によって形成された第１の画像５、図５（ｂ）は、潜像凹版３の潜像部６及び背景部７を示すものである。潜像部６及び背景部７の画線は、凹版印刷により形成された盛り上がりを有する画線であり、盛り上がりの高さ、画線幅及び画線ピッチを同一とすることで、印刷物１を第１の観察角度Ｕで観察した場合には、潜像部６と背景部７に濃度差は生じず、同一濃度として観察されるが、印刷物１を第２の観察角度で観察した場合には、潜像部６の非画線部が画線の盛り上がりによって圧縮されて高濃度となるが、背景部７の非画線部は、印刷物１を傾けても非画線部は変化しないことから、潜像部６の非画線部とに濃度差が生じ、潜像画像が視認される構成である。
【００２９】
図５（ｃ）は、第１の画像５上に潜像凹版３を形成する潜像部６及び背景部７が形成された部分の拡大図を示すものであり、潜像部６及び背景部７の非画線部からは、ベタ状で形成された第１の画像５が視認される。この非画線部から視認される第１の画像５表面からの光沢度が基材表面及び潜像凹版３を形成する画線表面と異なることで、潜像画像を視認する際の印刷物１を傾ける角度が浅くても潜像画像を視認することができる。
【００３０】
図６は、本発明の印刷物１において、潜像画像が視認される観察角度を示すものであり、従来の潜像凹版を観察する第２の観察角度Ｎよりも印刷物１を傾ける角度が浅い第３の観察角度Ｍであっても、前述した第１の画像５表面の光沢度と基材表面及び潜像凹版３を形成する画線表面の光沢度が異なることで潜像画像を形成することができるものである。
【００３１】
第１の画像５の面積率は、５０〜１００％とする必要があり、図７（ａ）のベタ画線（面積率１００％）、図７（ｂ）の縞模様（面積率９０％）、図７（ｃ）の格子模様（面積率９０％）、図７（ｄ）の市松模様（面積率５０％）及び図７（ｅ）の任意模様（面積率９０％）等、形状については特に限定されず、面積率を５０〜１００％に設定することで本発明の効果を得ることができる。
【００３２】
（第２の実施の形態）
次に、第２の実施の形態における印刷物１について説明する。第２の実施の形態の印刷物は、第１の画像５における潜像凹版が加刷される領域のみを白抜き状としたものであり、潜像凹版３を形成する潜像部６及び背景部７の構成については、第１の実施の形態と同一であるため、説明を省略する。
【００３３】
図８は、第２の実施の形態における印刷物１であり、基材上に料額２、潜像凹版３及び肖像４が形成された商品券タイプの印刷物１である。潜像凹版３部分は、下地に第１の画像が形成されているが、第１の画像５における白抜き部分上に潜像凹版３を形成する潜像部６及び背景部７を重ねて形成しているため、見た目上は潜像部６及び背景部７の画線のみが形成されたように観察される。なお、図８の印刷物１は、潜像部６によって形成された潜像画像（文字「Ｔ」）が観察されるように図示しているが、印刷物１を第１の観察角度Ｕから観察した場合には、潜像部６及び背景部７の非画線部は同一として観察されるため、潜像部６及び背景部７を含む潜像凹版３部分は同一濃度として観察され、潜像画像「Ｔ」は観察されない。
【００３４】
一方、図８におけるＳ２方向から第２の観察角度Ｎ又は第３の観察角度Ｍで観察した場合、潜像部６及び背景部７の画線の盛り上がりによって、観察方向と直交する潜像部６の非画線部が圧縮されて高濃度となることで、潜像画像「Ｔ」が観察される。
【００３５】
図９は、図８の潜像凹版３部分の拡大図を示すものであり、潜像凹版３部分に形成された第１の画像５、潜像部６及び背景部７の構成を示すものである。図９（ａ）は、潜像部６及び背景部７に対応する領域が白抜き状態で形成された第１の画像５を示すものであり、図９（ｂ）は、潜像凹版３を形成する潜像部６及び背景部７の画線を示すものであり、画線の方向、ピッチ、画線幅及び画線高さは第１の実施の形態と同一の構成である。
【００３６】
図９（ｃ）は、図９（ａ）に示す第１の画像５上に図９（ｂ）に示す潜像凹版３が加刷された状態を示すものであり、第１の画線５に形成された白抜き部分に潜像部６及び背景部７が形成されることで、見掛け上は第１の実施の形態で説明した図５（ｃ）と同様の状態として観察することができる。
【００３７】
第２の実施の形態における印刷物は、前述したとおり第１の画像５における潜像凹版３の潜像部６及び背景部７を加刷する領域のみ白抜きの状態としていることから、潜像凹版３を形成する潜像部６及び背景部７のインキを基材にセットさせることができるため、潜像部６及び背景部７の凹版画線の密着性を向上させることができる。
【００３８】
また、第１の実施の形態と同様に潜像凹版３の非画線部の全てをベタ状（面積率１００％）とした際と同じ効果を得ることができることから、潜像凹版３を観察する際に印刷物１を傾ける角度が浅い、すなわち、第３の観察角度Ｍで視認した場合であっても、基材表面と潜像凹版３の非画線部から観察される第１の画線５表面において高い光沢差が生じることから、潜像画像を視認することができる。
【００３９】
図１０は、第２の実施の形態における印刷物１に形成された潜像凹版３を所定の方向から観察した状態を示すものである。図１０（ａ）は、図８のＳ２方向から印刷物１を第３の観察角度Ｍで観察したものである。同様に、図１０（ｂ）に示すように、Ｓ３方向から印刷物１を第３の観察角度Ｍで観察した場合であっても、図１０（ａ）と潜像部６及び背景部７の視認濃度が反転した状態の潜像画像を観察することができる。なお、第３の観察角度で公知の潜像凹版３´を観察した場合、潜像部６´と背景部７´の濃度差がほとんど生じないため、潜像画像を観察することはできない。
【００４０】
また、第２の観察角度Ｎで観察した状態を示すのが、図１０（ｃ）及び図１０（ｄ）であり、各々の観察方向において潜像部６及び背景部７の濃度差の大きいネガポジ反転した潜像画像を視認することができる。
【００４１】
図１１は、第２の実施の形態における変形例であり、第２の実施の形態では、第１の画像５内に形成する白抜き部分と潜像部６及び背景部７を形成する画線幅を同一としているが、この場合、第１の画像５上に形成される潜像部６及び背景部７を完全に一致させなければ部分的に潜像部６及び背景部７の非画線部に白抜き部分が観察されるため、潜像部６及び背景部７の非画線部における第１の画像５の面積率を１００％とすることができない。仮に、非画線部における第１の画像５に多少の白抜き部分が存在していても、潜像画像の視認に影響するものではないが、第１の観察方向Ｕから視認した際に潜像画像と同様の画像がうっすら視認されることとなる。
【００４２】
第２の実施の形態の変形例においては、図１１に示すように、第１の画像５に形成する白抜き部分の幅を潜像部６及び背景部７を形成する画線幅より狭く設定することで、第１の画像５における白抜き部分の中心（図示せず）と潜像部６及び背景部７を形成する画線の中心部分（図示せず）が一致しなくても白抜き部分が非画線部に現れないように、あらかじめ潜像部６及び背景部７を形成する画線幅より白抜き部分の幅を狭く設定したものである。
【００４３】
第２の実施の形態の変形例のように、白抜き部分の幅を狭く設定することで、印刷ズレにより第１の観察角度から視認した場合に潜像画像がうっすら視認される問題を解消することができるとともに、潜像部６及び背景部７を形成する凹版画線の密着性を得ることができることから、好ましい形態である。
【００４４】
（第３の実施の形態）
次に、第３の実施の形態における印刷物１について説明する。第３の実施の形態における潜像凹版３は、第２の実施の形態と同様に商品券タイプの印刷物１であり、潜像凹版３部分に形成された潜像部６及び背景部７の画線構成についても、第１の実施の形態及び第２の実施の形態と同一の画線構成であるため、説明を省略する。
【００４５】
図１２は、第３の実施の形態の印刷物１における潜像凹版３部分を拡大したものであり、潜像凹版３領域における第１の画像５、潜像部６及び背景部７を示したものである。図１２（ａ）は、第１の画像５を示すものであり、ベタ領域内に白抜きの印刷模様が形成されたものである。
【００４６】
図１２（ｂ）は、潜像部６及び背景部７の画線を示すものであり、第１及び第２の実施の形態と同様の画線構成であり、図１２（ｃ）は、図１２（ａ）の第１の画像５上に図１２（ｂ）の潜像部６及び背景部７が形成された状態を示すものである。なお、図１２では、第１の画像５と潜像部６及び背景部７を有する潜像凹版画線が同じ大きさのように示しているが、潜像凹版３よりも第１の画像５が大きければ良く、潜像凹版よりも大きい第１の画像５を形成することで、上部に加刷される潜像凹版３領域の大きさを考慮することなく、潜像凹版３の周辺にかけて連続する地紋模様を形成することができる。
【符号の説明】
【００４７】
１、１´  印刷物
２  料額
３、３´  潜像凹版
４  肖像
５  第１の画像
６、６´  潜像部
６Ｌ  横画線
７、７´  背景部
７Ｌ  縦画線
Ｐ、６Ｐ、７Ｐ  画線ピッチ
Ｗ、６Ｗ、７Ｗ  画線幅
Ｕ  第１の観察角度
Ｎ  第２の観察角度
Ｍ  第３の観察角度
【図１】
2016137658.tif 000003
【図２】
2016137658.tif 000004
【図３】
2016137658.tif 000005
【図４】
2016137658.tif 000006
【図５】
2016137658.tif 000007
【図６】
2016137658.tif 000008
【図７】
2016137658.tif 000009
【図８】
2016137658.tif 000010
【図９】
2016137658.tif 000011
【図１０】
2016137658.tif 000012
【図１１】
2016137658.tif 000013
【図１２】
2016137658.tif 000014